(57)【要約】      （修正有）【課題】断熱性のある薄く軽い可撓性シートを提供する。【解決手段】可撓性シート１のすくなくとも片面に多数の発泡ビーズ２を密接又は近接に付着させた断熱シート。２枚の可撓性シートの間に多数の発泡ビーズを介装し、両可撓性シートに密接又は近接に付着させた断熱シートとすることが好ましい。【効果】断熱効果を利用した農業用のビニールシートや養生シート、又裁断加工して各種防寒用具や防寒用品とする。また防寒機能のない市販されている従来品に本件断熱シートを付着させる事で防寒対応品とする。【選択図】図１
2007230205.tif 000002
【特許請求の範囲】
【請求項１】
可撓性シートのすくなくとも片面に多数の発泡ビーズを密接又は近接に付着させた事を特徴とした断熱シート。
【請求項２】
２枚の可撓性シートの間に多数の発泡ビーズを介装し、両可撓性シートに密接又は近接して付着させた事を特徴とした断熱シート。
【請求項３】
請求項１記載の可撓性シートの、発泡ビーズのない片面は接着剤を付着し、この接着面は剥離紙を貼着した事を特徴とした請求項１記載の断熱シート。
【請求項４】
前記発泡ビーズの外径は約１ミリから４ミリの範囲であることを特徴とした請求項１から３のいずれかに記載の断熱シート。
【発明の詳細な説明】
【技術分野】
【０００１】  本発明は農業で使用するビニールシートや夏の養生シートに使用して適する断熱シートで、防寒具や防寒用品等に使用しても良い断熱シートに関するものである。
【背景技術】
【０００２】  従来、合成樹脂系素材やゴム系素材あるいは不織布・紙・布等のシート状素材は０．１ミリから０．０５ミリ以下の薄い状態になると０度以下の冷気は断熱できず冷気を伝えていた。
【発明の開示】
【発明が解決しようとする課題】
【０００３】  農業や園芸等で使用するビニールシートや不織布シート類は、防寒防霜用であっても取り扱いや作物への負担を少なくする為に０．１ミリから０．０５ミリ以下の非常に薄いシートを使用している。しかしこのシートは薄いため冷気を伝え冷害や雪・霜で作物が痛み出荷できない事があった。【０００４】  そして、養生シートも農業シート同様に薄いシートであり、断熱機能がない為、シート内部に外気温を伝えていた。【０００５】  一方、冬場の従来の作業着の場合は断熱や防寒保温の為に綿素材や羽毛等のかさばる素材を使用する等、着ぶくれをして動きにくいものである。
【課題を解決するための手段】
【０００６】  可撓性シートのすくなくとも片面に多数の発泡ビーズを密接又は近接に付着させた断熱シート。【０００７】  ２枚の可撓性シートの間に多数の発泡ビーズを介装し、両可撓性シートに密接又は近接して付着させた断熱シート。【０００８】  請求項１記載の可撓性シートの発泡ビーズのない片面は接着剤を付着し、この接着面には剥離紙を貼着した請求項１記載の断熱シート。【０００９】  前記発泡ビーズの外径は約１ミリから４ミリの範囲であることを特徴とする断熱シート。
【発明の効果】
【００１０】  可撓性シートに断熱効果のある発泡ビーズを付着させた事で断熱シートとなり、又発泡ビーズだから屈曲性があるので可撓性シートの性質を束縛する事もない。さらに空気のごとく軽い発泡ビーズだから重量的負担もかけず扱いやすい断熱シートとなる。【００１１】  ２枚の可撓性シートの間に発泡ビーズを介装した事で片面ビーズ付着の際生じやすい発泡ビーズの剥離剥落を防ぎ、強度と保温性を保つ事ができる断熱シートである。【００１２】  可撓性シートの片面に発泡ビーズを付着し、反対片面には接着剤又は粘着剤を付着し、この接着面には剥離紙を貼着した、いわゆる発泡ビーズを付着した両面テープであり、必要な場所に必要な量だけ接着使用する事で無駄を省き、従来品を防寒品として使用する為の断熱シートである。【００１３】  本件断熱シートに使用する発泡ビーズの外径は、密接付着は約１ミリから使用するが近接付着の際は４ミリ迄のサイズを使用する事で農業シートでの採光と断熱防寒を両立させる事ができる。【００１４】  本件断熱シートは発泡ビーズの断熱機能を利用したもので、夏の養生シートに使用すればシート内の温度上昇を防ぐ事ができる。【００１５】  温室ハウス栽培で本件断熱シートを利用すれば、室内の温度低下を防ぐ事ができるので暖房費の削減ができる。
【発明を実施するための最良の形態】
【実施例１】
【００１６】  図１のごとく、可撓性シート１の片面に多数の発泡ビーズ２を密接又は近接して付着させた状態で、発泡ビーズは防寒目的側に向けて使用する。主に農業用ビニールシート・ガラス温室ハウス・養生シート・果実木全体を覆うシート・冷凍品梱包用パーチ等の用途に使用し、発泡ビーズのサイズは約１ミリから２ミリを使用する。又フローリング床用断熱兼滑り止め具としてカーペットの下敷きにも使用できる。
【実施例２】
【００１７】  図２は、可撓性シート１の両面に多数の発泡ビーズ２を実施例１同様に密接又は近接して付着させる事でマイナス温度を遮断し保温を計る事にある。主に農業用ビニールシート・カーペットの滑り止め・作業靴の中敷き等に用い。発泡ビーズは約１ミリから３ミリサイズを使用する。又敷フトン用下敷きマットに利用する場合は約４ミリサイズを使用する。
【実施例３】
【００１８】  図３は、２枚の可撓性シート１に多数の発泡ビーズ２を介装し、両可撓性シートに密接又は近接して付着させる。主に農業用ビニールシート・ガラス温室ハウス等に使用し、発泡ビーズは約１ミリから４ミリ迄のサイズを使い別ける事で採光や断熱保温を計る。又使い捨て衛生手袋等の用途では約１ミリサイズを使用する。
【実施例４】
【００１９】  図４は、図１記載の可撓性シート１の発泡ビーズ２のない片面は接着剤を付着し、この接着面に剥離紙を貼着する。主に使い捨て衛生手袋の指先や防寒目的の必要部位に必要な量だけ張りつけて使用する。又市販されている従来品に張りつけて使用する商品は腕カバー・防水エプロン等があり、発泡ビーズは約１ミリから２ミリサイズを使用する。
【実施例５】
【００２０】  図５は可撓性シート１に４ミリ迄の発泡ビーズ２を近接して付着する。主に農業でのビニールシートでの採光を必要とする場合に用いる。
【実施例６】
【００２１】  図１の断熱シートを加工する事で防寒具や防寒用品とする主な商品は、腕カバー・レッグウォーマー・防水エプロン・ウィンドブレーカー・雨ガッパ・雪山登山テント・果実保護袋・スリッパ・使い捨てエンボス手袋等があり、使用する発泡ビーズは約１ミリから２ミリを用いる。
【図面の簡単な説明】
【００２２】
【図１】は、本発明の実施例１を示す図で、可撓性シート片面に多数の発泡ビーズを密接して付着させた断面図である。
【図２】は、同じく実施例２を示す図で、可撓性シートの両面に多数の発泡ビーズを密接して付着させた断面図である。
【図３】は、同じく実施例３を示す図で、２枚の可撓性シートに多数の発泡ビーズを密接して挟んだ断面図である。
【図４】は、同じく実施例４を示す図で、可撓性シートの片面に多数の発泡ビーズを密接して付着させ、片面には接着剤が付着され、剥離紙を貼着している断面図である。
【図５】は、同じく実施例５を示す図で、可撓性シートの片面に４ミリ迄のサイズの発泡ビーズを近接して付着させた断面図である。
【符号の説明】
【００２３】１  可撓性シート
２  発泡ビーズ
３  接着剤
４  剥離紙
【図１】
2007230205.tif 000003
【図２】
2007230205.tif 000004
【図３】
2007230205.tif 000005
【図４】
2007230205.tif 000006
【図５】
2007230205.tif 000007
【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
可撓性シートの片面に多数の発泡ビーズを密接又は近接に付着させ、この可撓性シートの発泡ビーズのない片面は接着剤を付着し、この接着面には剥離紙を貼着した事を特徴とした断熱シート。
【手続補正２】
【補正対象書類名】明細書
【補正対象項目名】０００６
【補正方法】変更
【補正の内容】
【０００６】  可撓性シートの片面に多数の発泡ビーズを密接又は近接に付着させ、この可撓性シートの発泡ビーズのない片面は接着剤を付着し、この接着面には剥離紙を貼着した事を特徴とした断熱シート。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正書】
【提出日】平成19年3月10日(2007.3.10)
【手続補正１】
【補正対象書類名】特許請求の範囲
【補正対象項目名】全文
【補正方法】変更
【補正の内容】
【特許請求の範囲】
【請求項１】
立体的使用や袋状及び包む用途、あるいは変幻自在に動く用途に使用する可撓性シートのすくなくとも片面に多数の発泡ビーズを密接又は近接に付着させた事を特徴とした断熱シート。
【請求項２】
立体的使用や袋状及び包む用途、あるいは変幻自在に動く用途に使用する２枚の可撓性シートの間に多数の発泡ビーズを介装し、両可撓性シートに密接又は近接して付着させた事を特徴とした断熱シート。
【請求項３】
請求項１記載の可撓性シートの発泡ビーズのない片面は接着剤を付着し、この接着面には剥離紙を貼着した事を特徴とした請求項１記載の断熱シート。
【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
農業用ビニールシート・ガラス温室ハウス・養生シート・果実木全体を覆うシート・フローリング床用断熱兼滑り止め具としてカーペットの下敷き・カーペットの滑り止め・作業靴の中敷き・敷きフトン用下敷きマット・腕カバー・レッグウォーマー・防水エプロン・ウィンドブレーカー・雨ガッパ・雪山登山テント・スリッパ・使い捨てエンボス手袋等に使用する可撓性シートのすくなくとも片面に多数の発泡ビーズを密接又は近接に付着させた事を特徴とした断熱シート。
【請求項２】
農業用ビニールシート・ガラス温室ハウス等に使用する２枚の可撓性シートの間に多数の発泡ビーズを介装し、両可撓性シートに密接又は近接して付着させた事を特徴とした断熱シート．
【請求項３】
片面に多数の発泡ビーズを密接又は近接に付着させた可撓性シートを使い捨て衛生手袋の指先や腕カバー・防水エプロン等の防寒目的の必要部位に必要量だけ張りつけての使用する際、発泡ビーズがない片面には接着剤を付着し、この接着面には剥離紙を貼着した事を特徴とした断熱シート．